(57)【要約】【課題】高画質な画像を表示可能とする信号処理方法、表示装置、及び電子機器を提供すること。【解決手段】本技術の一形態に係る信号処理方法は、第１のフレームの各画素の階調を含む第１の画像信号と、前記第１のフレームに連続する第２のフレームの各画素の階調を含む第２の画像信号とを入力することを含む。所定の１以上の階調が、補正が不要である補正不要階調として記憶される。前記入力された第１の画像信号をもとに、前記各画素について、前記第１のフレームの階調が前記記憶された補正不要階調であるか否かが判定される。前記第１のフレームの階調が前記補正不要階調であると判定された画素については、当該画素を補正が不要である補正不要画素として、前記入力された第２の画像信号内の階調が出力される。【選択図】図４
2015197476.tif 000002
【特許請求の範囲】
【請求項１】
第１のフレームの各画素の階調を含む第１の画像信号と、前記第１のフレームに連続する第２のフレームの各画素の階調を含む第２の画像信号とを入力し、
所定の１以上の階調を補正が不要である補正不要階調として記憶し、
前記入力された第１の画像信号をもとに、前記各画素について、前記第１のフレームの階調が前記記憶された補正不要階調であるか否かを判定し、
前記第１のフレームの階調が前記補正不要階調であると判定された画素については、当該画素を補正が不要である補正不要画素として、前記入力された第２の画像信号内の階調を出力する
信号処理方法。
【請求項２】
請求項１に記載の信号処理方法であって、さらに、
前記入力された第１の画像信号を符号化して記憶し、
前記符号化されて記憶された前記第１の画像信号を復号化し、
前記判定ステップは、前記復号化された第１の画像信号をもとに判定を行う
信号処理方法。
【請求項３】
請求項１に記載の信号処理方法であって、さらに、
前記判定ステップによる前記各画素についての判定の結果に応じたフラグを記憶し、
前記出力ステップは、前記記憶された各画素についてのフラグをもとに出力を行う
信号処理方法。
【請求項４】
請求項１に記載の信号処理方法であって、さらに、
前記第１の画像信号内の前記各画素の階調のうち、前記補正不要階調であると判定された階調を、前記補正不要階調に該当する所定の階調である置換用階調に置換することで、置換画像信号を生成し、
前記生成された置換画像信号を符号化して記憶し、
前記符号化されて記憶された前記置換画像信号を復号化し、
前記出力ステップは、前記復号化された置換画像信号をもとに、前記置換用階調となる画素を前記補正不要画素として出力を行う
信号処理方法。
【請求項５】
請求項４に記載の信号処理方法であって、
前記置換用階調は、前記補正不要階調に該当する階調のうち、最も大きい階調又は最も小さい階調である
信号処理方法。
【請求項６】
第１のフレームの所定の画素の階調を示す第１の階調信号と、前記第１のフレームに連続する第２のフレームの前記所定の画素の階調を示す第２の階調信号とを入力し、
前記入力された第１の階調信号が高階調又は低階調に属する場合には、前記入力された前記第２の階調信号を補正対象とし、
前記入力された第１の階調信号が前記高階調と前記低階調との間の階調に属する場合には、前記入力された前記第２の階調信号を補正対象としない
信号処理方法。
【請求項７】
請求項６に記載の信号処理方法であって、
前記入力された第１の階調信号が中間階調の場合には、前記入力された前記第２の階調信号を補正対象としない
信号処理方法。
【請求項８】
第１のフレームの各画素の階調を含む第１の画像信号と、前記第１のフレームに連続する第２のフレームの各画素の階調を含む第２の画像信号とを入力する入力部と、
所定の１以上の階調を補正が不要である補正不要階調として記憶する記憶部と、
前記入力された第１の画像信号をもとに、前記各画素について、前記第１のフレームの階調が前記記憶された補正不要階調であるか否かを判定する判定部と、
前記第１のフレームの階調が前記補正不要階調であると判定された画素については、当該画素を補正が不要である補正不要画素として、前記入力された第２の画像信号内の階調を出力する出力部と
を具備する表示装置。
【請求項９】
第１のフレームの各画素の階調を含む第１の画像信号と、前記第１のフレームに連続する第２のフレームの各画素の階調を含む第２の画像信号とを入力する入力部と、
所定の１以上の階調を補正が不要である補正不要階調として記憶する記憶部と、
前記入力された第１の画像信号をもとに、前記各画素について、前記第１のフレームの階調が前記記憶された補正不要階調であるか否かを判定する判定部と、
前記第１のフレームの階調が前記補正不要階調であると判定された画素については、当該画素を補正が不要である補正不要画素として、前記入力された第２の画像信号内の階調を出力する出力部と
を有する表示装置を具備する電子機器。
【発明の詳細な説明】
【技術分野】
【０００１】
本技術は、画像を表示するための信号処理方法、表示装置、及び電子機器に関する。
【背景技術】
【０００２】
従来、表示装置の１つとして、液晶パネルを用いた液晶表示装置が知られている。例えば特許文献１には、液晶表示装置に利用される液晶駆動回路についての技術が開示されている。この液晶駆動回路では、現画像に対応する第１の復号化画像と、１フレーム前の画像に対応する第２の復号化画像とをもとに、現画像の階調値を補正する補正データが生成される。当該補正データを用いることで、液晶の応答速度を正確に制御可能とし、変化の速い動画であっても適切に表示することが図られている（特許文献１の明細書段落［０００２］［００５０］［００５３］［００５９］等）。
【０００３】
また特許文献２には、その図１及び図２に示すように、表示パネル１２と、液晶駆動回路１１と、フレームメモリ５と、映像信号変換手段７とを備える液晶表示装置が開示されている。順次入力される映像信号２と、フレームメモリ５から出力される１フレーム前の映像信号４とをもとに、映像信号変換手段７により液晶駆動信号６が出力される。これにより、液晶の応答時間が遅いために生じていた残像による画質の低下の防止が図られている（特許文献２の明細書段落［０００９］［００１６］［００１７］等）。
【先行技術文献】
【特許文献】
【０００４】
【特許文献１】特開２００３−２０２８４５号公報
【特許文献２】特開平１０−３９８３７号公報
【発明の概要】
【発明が解決しようとする課題】
【０００５】
特許文献１及び２に記載のように、高画質な画像を表示するための種々の技術が求められている。
【０００６】
以上のような事情に鑑み、本技術の目的は、高画質な画像を表示可能とする信号処理方法、表示装置、及び電子機器を提供することにある。
【課題を解決するための手段】
【０００７】
上記目的を達成するため、本技術の一形態に係る信号処理方法は、第１のフレームの各画素の階調を含む第１の画像信号と、前記第１のフレームに連続する第２のフレームの各画素の階調を含む第２の画像信号とを入力することを含む。
所定の１以上の階調が、補正が不要である補正不要階調として記憶される。
前記入力された第１の画像信号をもとに、前記各画素について、前記第１のフレームの階調が前記記憶された補正不要階調であるか否かが判定される。
前記第１のフレームの階調が前記補正不要階調であると判定された画素については、当該画素を補正が不要である補正不要画素として、前記入力された第２の画像信号内の階調が出力される。
【０００８】
この信号処理方法では、補正不要な階調が記憶され、上記判定の結果を満たす画素が調整不要な画素とされる。これにより全画素を一律に補正することにより生じる問題を抑制することが可能となる。この結果、高画質な画像を表示することが可能となる。
【０００９】
前記信号処理方法は、さらに、前記入力された第１の画像信号を符号化して記憶すること、及び前記符号化されて記憶された前記第１の画像信号を復号化することを含んでもよい。この場合、前記判定ステップは、前記復号化された第１の画像信号をもとに判定を行ってもよい。
本信号処理方法を用いることで、符号化及び復号化にともなう画像信号の劣化の影響を抑制することができる。
【００１０】
前記信号処理方法は、さらに、前記判定ステップによる前記各画素についての判定の結果に応じたフラグを記憶することを含んでもよい。この場合、前記出力ステップは、前記記憶された各画素についてのフラグをもとに出力を行ってもよい。
これにより画質の向上を図ることができる。
【００１１】
前記信号処理方法は、さらに、前記第１の画像信号内の前記各画素の階調のうち、前記補正不要階調であると判定された階調を、前記補正不要階調に該当する所定の階調である置換用階調に置換することで、置換画像信号を生成すること、前記生成された置換画像信号を符号化して記憶すること、及び前記符号化されて記憶された前記置換画像信号を復号化することを含んでもよい。この場合、前記出力ステップは、前記復号化された置換画像信号をもとに、前記置換用階調となる画素を前記補正不要画素として出力を行ってもよい。
これにより置換用階調をフラグとして利用することが可能となる。また符号化及び復号化にともなう劣化を抑制することができる。この結果、高画質な画像を表示することが可能となる。
【００１２】
前記置換用階調は、前記補正不要階調に該当する階調のうち、最も大きい階調又は最も小さい階調であってもよい。
【００１３】
本技術の他の形態に係る信号処理方法は、第１のフレームの所定の画素の階調を示す第１の階調信号と、前記第１のフレームに連続する第２のフレームの前記所定の画素の階調を示す第２の階調信号とを入力することを含む。
前記入力された第１の階調信号が高階調又は低階調に属する場合には、前記入力された前記第２の階調信号が補正対象とされる。
前記入力された第１の階調信号が前記高階調と前記低階調との間の階調に属する場合には、前記入力された前記第２の階調信号は補正対象とされない。
これにより全画素を一律に補正することにより生じる問題を抑制することが可能となる。この結果、高画質な画像を表示することが可能となる。
【００１４】
前記入力された第１の階調信号が中間階調の場合には、前記入力された前記第２の階調信号を補正対象としなくてもよい。
【００１５】
本技術の一形態に係る表示装置は、入力部と、記憶部と、判定部と、出力部とを具備する。
前記入力部は、第１のフレームの各画素の階調を含む第１の画像信号と、前記第１のフレームに連続する第２のフレームの各画素の階調を含む第２の画像信号とを入力する。
前記記憶部は、所定の１以上の階調を補正が不要である補正不要階調として記憶する。
前記判定部は、前記入力された第１の画像信号をもとに、前記各画素について、前記第１のフレームの階調が前記記憶された補正不要階調であるか否かを判定する。
前記出力部は、前記第１のフレームの階調が前記補正不要階調であると判定された画素については、当該画素を補正が不要である補正不要画素として、前記入力された第２の画像信号内の階調を出力する。
【００１６】
本技術の一形態に係る電子機器は、前記表示装置を具備する。
【発明の効果】
【００１７】
以上のように、本技術によれば、高画質な画像を表示することが可能となる。なお、ここに記載された効果は必ずしも限定されるものではなく、本開示中に記載されたいずれかの効果であってもよい。
【図面の簡単な説明】
【００１８】
【図１】本技術の一実施形態に係る表示装置の構成例を示す概略図である。
【図２】映像信号処理部の構成例を示す概略図である。
【図３】本技術に係る信号処理方法による補正例を示すフローチャートである。
【図４】補正ステップで用いられるＬＵＴの一例を示す図である。
【図５】補正ステップで用いられるＬＵＴの他の例を示す図である。
【図６】本技術に係る信号処理方法による他の補正例を示すフローチャートである。
【図７】映像信号処理部の他の構成例を示す概略図である。
【図８】図７に示す映像信号処理部により実行される信号処理方法による補正例を示すフローチャートである。
【図９】本技術に係る表示装置の適用例の外観を示す斜視図である。
【図１０】本技術に係る表示装置の他の適用例の外観を示す斜視図である。
【発明を実施するための形態】
【００１９】
以下、本技術に係る実施形態を、図面を参照しながら説明する。
【００２０】
［表示装置の構成］
図１は、本技術の一実施形態に係る表示装置の構成例を示す概略図である。表示装置１００は、液晶表示パネル１０と、バックライト２０と、データドライバ３０と、ゲートドライバ４０と、表示制御部５０とを有する。
【００２１】
液晶表示パネル１０は、例えばアクティブマトリクス方式の液晶表示パネルであるが、他の方式であってもよい。液晶表示パネル１０は、マトリクス状に配置された図示しない複数の表示素子を有する。各表示素子として、例えばＲＧＢの各色を表示する表示素子が用いられる。
【００２２】
各表示素子は、表示される画像の画素に対応するものである。カラー画像を形成する単位となる１つの画素（単位画素）が、複数の副画素（サブピクセル）により構成される場合には、当該副画素の各々が各表示素子に相当することになる。
【００２３】
各表示素子は、概略的には、ＴＦＴ（薄膜トランジスタ）と、画素電極と、コモン電極と、液晶層と、Ｃｓ電極とを有する。ＴＦＴ及び各電極は、液晶層を挟む基板上に設けられる。ＴＦＴのソースは図１に示すデータバスライン３１に、ゲートはゲートバスライン４１に、ドレインは画素電極にそれぞれ接続される。
【００２４】
液晶層は画素電極とコモン電極との間に配置される。データドライバ３０及びゲートドライバ４０からそれぞれデータ駆動電圧及びゲート駆動電圧が供給されることで、画素電極とコモン電極との間に電圧（以下、応答電圧とも記載する）が発生し、この応答電圧によって液晶層の配向が変化する。
【００２５】
Ｃｓ電極は画素電極の電荷を保持するためのものである。各表示素子の階調（輝度）は、応答電圧の絶対値によって制御される。即ち、応答電圧の絶対値が大きいほど、階調が大きくなる。
【００２６】
なお応答電圧が目標の電圧になったとしても、各表示素子の輝度が所望の値に到達するまでには時間がかかる。これは応答電圧に応じた液晶像の配向の変化に時間がかかるためである。目標の輝度に到達するための時間、すなわち応答時間は、液晶パネル１０の特性や、表示素子の温度（詳細には、液晶層の温度）等に依存する。
【００２７】
バックライト２０は、液晶表示パネル１０を後方から照らす。データドライバ３０は、データバスライン３１を介して表示素子１１に駆動電圧、即ちデータ駆動電圧を供給する。ゲートドライバ４０は、ゲートバスライン４１を介して表示素子１１に駆動電圧、即ちゲート駆動電圧を供給する。
【００２８】
表示制御部５０は、各種のハードウェア構成、例えばＣＰＵ（Central Processing Unit）、ＲＯＭ（Read Only Memory）、ＲＡＭ（Random Access Memory）等によって実現される。すなわち、ＲＯＭには表示制御部５０の各機能ブロックを実現させるためのプログラムが記録されており、ＣＰＵは、当該プログラムを読みだして実行する。これにより、表示制御部５０の各機能ブロックが実現される。
【００２９】
図１に示すように表示制御部５０は、映像信号処理部５１と、記憶部５２と、液晶パネル制御部５３と、バックライト制御部５４とを備える。
【００３０】
映像信号処理部５１は、外部等から入力された映像信号に対して、カンマ補正やオーバードライブ補正等の所定の処理を実行可能である。例えばデジタルの映像信号として、連続する複数のフレームにそれぞれ対応する複数の画像信号が入力される。画像信号は、フレームの各画素の階調の情報を含む信号であり、フレームの各画素の階調を示す階調信号を含む。階調信号は、各画素に対応して入力される信号である。外部からアナログの映像信号が入力されてもよい。この場合、映像信号処理部５１により映像信号が適宜サンプリングされ、フレームごとの画像信号が生成される。
【００３１】
映像信号処理部５１は、表示させるフレームの各画素の発光階調の情報を含む表示フレーム信号を生成する。例えば入力された画像信号内の各階調が適宜補正されて表示フレーム信号が生成される。当該表示フレーム信号は、液晶パネル制御部５３及びバックライト制御部５４に出力される。なお階調の補正は、階調信号の補正と同じ意味である。
【００３２】
液晶パネル制御部５３は、表示フレーム信号をもとに、発光階調に応じたデータ駆動電圧及びゲート駆動電圧を生成する。各駆動電圧は、データドライバ３０及びゲートドライバ４０を介して、各表示素子に供給される。バックライト制御部５４は、表示フレーム信号をもとにバックライトの駆動を制御する。
【００３３】
本実施形態では、映像信号処理部５１により、本技術に係る信号処理方法が実行される。すなわち１つ前のフレームの画像信号内の階調をもとに、各画素について、その画素が階調補正の対象となる画素であるが、補正が不要な画素であるかが判定される。階調補正として、典型的にはオーバードライブ補正が実行されるがこれに限定されない。
【００３４】
記憶部５２は、例えばＲＯＭやＨＤＤ（Hard Disk Drive）等からなり、フレームメモリとして機能する。また記憶部５２には、後述する階調補正に用いられるＬＵＴ（ルックアップテーブル）が記憶される。
【００３５】
また記憶部５２には、補正が不要な補正用不要階調として、所定の１以上の階調が記憶される。例えば階調として、０階調から２５５階調までの８ビットの階調が用いられるとする。これらの階調のうち所定の１以上の階調、すなわち１００階調や１２０階調等のある１つの階調、又は１００階調から１２０階調までのある範囲の階調が補正用不要階調として記憶される。なお階調として、０階調から１０２３階調までの１０ビットの階調等が用いられてもよい。
【００３６】
［映像信号処理部及び信号処理方法］
図２は、本実施形態に係る映像信号処理部５１の構成例を示す概略図である。映像信号処理部５１は、入力部６１と、判定部６２と、補正／出力部６３とを有する。
【００３７】
入力部６１は、連続する複数のフレームの各々の画像信号を入力する。特に、複数のフレームのうち連続する２つのフレームの各々の画像信号が入力され、本技術に係る信号処理方法が実行される。以下、連続する２つのフレームの各々の画像信号を、第１のフレームの第１の画像信号、及び第２のフレームの第２の画像信号と記載する。第２のフレームが、第１のフレームに続くフレームとなる。またｎ−１フレームの第１の画像信号、及びｎフレームの第２の画像信号という記載をする場合もある。
【００３８】
判定部６２は、入力された第１の画像信号をもとに、各画素について、第１のフレームの階調が、記憶された補正不要階調であるか否かを判定する。すなわち連続する２つのフレームのうち先に表示される先行フレームの階調が補正不要階調であるか否かが判定される。
【００３９】
補正／出力部６３は、第１のフレームの階調が補正不要階調ではないと判定された画素については、当該画素を補正対象画素として、記憶されたＬＵＴをもとに第２のフレームの階調を補正する。本実施形態では、階調補正としてオーバードライブ補正が実行されるが、他の補正処理が実行されてもよい。
【００４０】
また補正／出力部６３は、第１のフレームの階調が補正不要階調であると判定された画素については、当該画素を補正が不要である補正不要画素として、入力された第２の画像信号内の階調をそのまま出力する。このように第２のフレームが表示フレームとなる際に、補正対象画素についてはオーバードライブ補正が行われ、補正不要画素については入力信号がそのまま出力される。
【００４１】
以下、本技術に係る信号処理方法のいくつかの形態を説明する。
【００４２】
［信号処理方法１］
図３は、信号処理方法１による補正例を示すフローチャートである。ｎ−１フレームの第１の画像信号が符号化により圧縮されてフレームメモリ７０に格納される。符号化としては、ＧＢＴＣ（Generalized Block Truncation Coding）等のブロック符号化や、ＪＰＥＧ（Joint Photographic Experts Group）といった２次元離散コサイン変換符号化等の任意の符号化が用いられてよい。符号化されて記憶された第１の画像信号は、適宜復号化されて用いられる（ステップ１０１）。このようにデータを圧縮することで、メモリ量を削減することができる。
【００４３】
判定部６２により、復号化された第１の画像信号をもとに、各画素について、第１のフレームの階調が階調不要画素であるか否かが判定される（ステップ１０２）。補正／出力部６３により、ＬＵＴを用いたオーバードライブ補正が実行される（ステップ１０３）。
【００４４】
図４は、補正ステップで用いられるＬＵＴの一例を示す図である。図中の「START LEVEL」は各画素における第１のフレームの階調である。「DESTINATION LEVE」は各画素における第２のフレームの階調である。
【００４５】
本補正例では、３３階調から２２３階調までの範囲の階調が補正不要階調として記憶されているとする。従ってＬＵＴには、第１のフレームの０階調から３２階調までの範囲、及び２２４階調から２５５階調までの範囲において、入力された第１及び第２のフレームの階調を引数として、第２のフレームの補正後の階調が補正値として格納されている。
【００４６】
一方で、３３階調から２２３階調までの補正不要階調については、補正値は格納されない。図４では、説明を分かりやすくするために、補正不要階調の範囲に斜線が引かれたＬＵＴが模式的に図示されている。
【００４７】
なおＬＵＴに格納されていない階調については、線形補間等により補正値が出力される。もちろん全階調において補正値が格納されてもよい。また補正値として、入力された第２のフレームの階調と等しい値が格納される場合もある。すなわち補正対象画素について入力された階調と同じ値の階調が出力されることはあり得る。
【００４８】
補正／出力部６３は、第１のフレームの階調が３３階調から２２３階調までの範囲に含まれる画素については、オーバードライブ補正を実行することなく、入力された第２の階調をそのまま出力する。一方第１のフレームの階調が上記の範囲に含まれない画素については、ＬＵＴを参照して、オーバードライブ補正を実行する。
【００４９】
液晶ディスプレイにおいては、液晶の応答速度の遅さを補うために前フレームと現フレームの信号レベルを比較して現フレームの信号レベルより高いまたは低い信号レベルを出力するオーバードライブ駆動が一般的に利用されている。この駆動を用いるには前フレームをフレームメモリに格納し現フレームと比較する必要があるため、フレームメモリによるコストアップが問題となっていた。
【００５０】
その対策として、フレームメモリに保存する画像情報を符号化して圧縮する技術が用いられる場合があった。しかしながら、圧縮した画像を参照してオーバードライブ補正をかけた場合には、圧縮による画像情報の欠落等による画質の低下が問題となっていた。例えば精細度の高い画像をゆっくりとスクロールした場合等において先鋭感の低下が問題となっていた。
【００５１】
近年では、液晶材料や配向技術の改善に伴い、所定の範囲の階調からの遷移であれば、オーバードライブを付与しなくても所望に近い応答速度が実現されるようになってきている。そこで該オーバードライブを付与しなくても所望に近い応答速度が得られている階調については、オーバードライブをかけないことで画像劣化を防ぐことが可能となる。
【００５２】
発明者による上記のような考察をもとに、本技術の信号処理方法が考案された。すなわち第１のフレームの階調が補正不要階調に該当する画素については、オーバードライブ補正を行うことなく、入力された第２の階調がそのまま出力される。これにより例えば全画素を一律にオーバードライブ補正する場合と比べて、画像の符号化及び復号化にともなう画像信号の劣化の影響を抑制することができる。
【００５３】
例えば符号化及び復号化により第１のフレームの階調に誤差が生じた場合、その誤差を有する第１のフレームの階調と、第２のフレームの階調とをもとにオーバードライブがかけられることになる。そうすると第２のフレームの表示の際に、所望の発光階調とは異なる発光階調にて、発光素子が発光してしまう可能性がある。そのような場合が発生してしまうと、第２のフレームの画質が低下してしまう。
【００５４】
本信号処理方法では、第１のフレームの階調が補正不要階調に該当する画素については、オーバードライブ補正の対象から外される。従って全画素を一律に補正の対象とする場合と比べて画質の低下を十分に抑制することができる。
【００５５】
図５は、補正ステップで用いられるＬＵＴの他の例を示す図である。このＬＵＴは、１１３階調から２５５階調までの範囲の階調が、補正不要階調として設定された場合に用いられる。このようにどの階調を補正不要階調とするのかは適宜設定されてよい。
【００５６】
オーバードライブ補正を行わず現フレームをそのまま出力する前フレームの階調範囲は、主に液晶の応答速度によって規定される。従って補正不要階調は、例えばパネルの温度や駆動周波数等をもとに定められる。例えば温度が高い場合や駆動周波数が低い場合には補正不要階調となる範囲が広くされ、温度が低い場合や駆動周波数が高い場合には補正不要範囲が狭くされる。
【００５７】
その他、補正不要階調は、製造される表示装置の各デバイスや回路構成等をもとに適宜設定されてよい。同様にオーバードライブ補正が実行される階調の範囲の補正値も適宜設定されてよい。図４及び図５等に示すＬＵＴは、典型的には、表示装置が設計されて製造される際に、そのシリーズごとに作成される。これに限定されず、製品の工場出荷時ごとに適宜ＬＵＴ等が作成されてもよい。
【００５８】
また補正不要階調が、パネルの温度や駆動周波数等をもとに可変であってもよい。すなわち各条件をもとに補正不要階調が適宜定められ、それに応じたＬＵＴが適宜作成されてもよい。または補正不要階調の設定パターン及びそれに応じたＬＵＴが複数記憶されており、各条件等をもとに適切な設定パターン及びＬＵＴが選択されてもよい。またユーザにより、補正不要階調の設定やその変更が実行可能であってもよい。この場合ユーザにより設定又は変更された補正不要階調に応じたＬＵＴが適宜作成される。
【００５９】
［信号処理方法２］
図６は、信号処理方法２による補正例を示すフローチャートである。ｎ−１フレームの第１の画像信号に対して、判定部６２による判定が行われる（ステップ２０１）。そして各画素についての判定の結果に応じたフラグが算出されてフラグ情報メモリ７５に格納される（ステップ２０２）。例えば第１のフレームの階調が補正不要階調であると判定された画素には、フラグとして「１（ｏｎ）」が設定される。一方、第１のフレームの階調が補正不要階調ではないと判定された画素には、フラグとして「０（ｏｆｆ）」が設定される。
【００６０】
ｎ−１フレームの第１の画像信号は、符号化により圧縮されてフレームメモリ７０に格納される（ステップ２０３）。
【００６１】
補正／出力部６３により、記憶された各画素についてのフラグをもとにした出力が実行される。すなわちフラグがｏｎになっている画素については、オーバードライブ補正は実行されず、入力された第２の画像信号内の階調がそのまま出力される。フラグがｏｆｆである画素については、ＬＵＴをもとに、第１のフレームの階調及び第２のフレームの階調から導かれる補正値が出力される（ステップ２０４）。
【００６２】
例えば第１のフレームの符号化及び復号化による誤差が発生することにより、第１のフレームの階調が補正不要階調となったり、その逆に補正不要画素に該当しなくなる場合等が起こり得る。この場合、本来不要であったオーバードライブ補正が実行されたり、必要なオーバードライブ補正が実行されなくなる。
【００６３】
本信号処理方法では、第１のフレームの符号化の前に判定部６２による判定が実行され、判定の結果に応じたフラグ情報が記憶される。符号化及び復号化による誤差が発生した場合でも、フラグ情報をもとに、補正不要画素及び補正対象画素を正確に判定することができる。この結果、高い画質で第２のフレームを表示することができる。なお画質の影響が許容される範囲で、フラグ情報に対して空間的な圧縮処理が実行されてもよい。
【００６４】
［信号処理方法３］
図７は、本技術に係る信号処理方法３を実行する映像信号処理部１５１の構成例である。なお以下の説明では、図２に示す映像信号処理部５１における構成及び作用と同様な部分については、その説明を省略又は簡略化する。
【００６５】
映像信号処理部１５１は、第１の画像信号内の各画素の階調のうち、補正不要階調であると判定された階調を、補正不要階調に該当する所定の階調である置換用階調に置換することで、置換画像信号を生成する生成部１６５を有する。
【００６６】
図８は、信号処理方法３による補正例を示すフローチャートである。ｎ−１フレームの第１の画像信号に対して、判定部１６２による判定が行われる。そして生成部１６５により、補正不要階調に該当する階調が置換用階調に置換され、置換画像信号が生成される（ステップ３０１）。
【００６７】
置換用階調としては、例えば補正不要階調に該当する階調のうち、最も大きい階調又は最も小さい階調が選択される。例えば図４に示すＬＵＴが用いられる補正例では、３３階調又は２２３階調のいずれかが、置換用階調として選択される。また図５に示すＬＵＴが用いられる補正例では、１１３階調又は２５５階調のいずれかが、置換用階調として選択される。このように補正対象階調との境界となる補正不要階調を置換用階調とすることで、処理の簡素化を図ることができる。なお補正不要階調に該当する階調であれば、その他の階調が置換用階調として用いられてもよい。
【００６８】
生成された置換画像信号が符号化により圧縮されてフレームメモリ１７０に格納される（ステップ３０２）。補正／出力部１６３は、符号化された置換画像信号を復号化し、その復号化された置換画像信号をもとに、置換用階調となる画素を補正不要画素として出力を行う。すなわち復号化された置換画像信号内の階調が、上記した３３階調等の置換用階調である画素については、当該画素を補正不要画素として補正及び出力を実行する（ステップ３０３）。
【００６９】
従って本補正例では、置換用階調をフラグ情報として利用することができる。すなわち置換画像信号内において置換用階調となる画素については、フラグがｏｎであると判断して処理を実行することができる。これによりフラグ情報を新たに増やすことなく高い精度で補正及び出力を実行することができる。
【００７０】
また符号化により空間的な圧縮が実行される際に、同じ階調が多く連続している場合には圧縮がしやすくなり、同じ圧縮率なら劣化も少なくなる。従って階調が置換されて生成された置換画像信号においては、高い圧縮精度を実現することができ、符号化及び復号化にともなう劣化を十分に抑制することが可能となる。この結果、補正／出力部１６３による処理精度が向上し、高画質の画像を表示することが可能となる。補正対象階調との境界となる補正不要階調を置換用階調にする場合、この符号化及び復号化の信号処理を容易なものにすることができる。
【００７１】
以上、本技術に係る信号処理方法では、第１のフレームの階調をもとに補正が不要な画素が判定されるので、全画素を一律に補正することにより生じる問題を抑制することが可能となる。この結果、高画質な画像を表示することが可能となり、良好な動画特性等を得ることが可能となる。
【００７２】
［電子機器］
上記表示装置は、例えばモジュールとして、種々の電子機器に組み込むことが可能である。例えば本技術は、図９に示すスマートフォンに適用可能である。このスマートフォン２００は、例えば、表示部２１０及び非表示部２２０を有しており、この表示部２１０が上記実施形態に係る表示装置により構成されている。
【００７３】
また本技術は、図１０に示すような、テレビジョン装置に適用されてもよい。このテレビジョン装置３００は、例えば、フロントパネル３１０及びフィルターガラス３２０を含む映像表示画面部３００を有しており、この映像表示画面部３００が、上記実施形態の表示装置により構成されている。
【００７４】
その他、本技術が適用可能な電子機器として、デジタルカメラ、ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００７５】
＜その他の実施形態＞
本技術は、以上説明した実施形態に限定されず、他の種々の実施形態を実現することができる。
【００７６】
本技術に係る信号処理方法として、以下の方法が実行されてもよい。すなわち第１のフレームの所定の画素の階調を示す第１の階調信号と、第１のフレームに連続する第２のフレームの前記所定の画素の階調を示す第２の階調信号とが入力される。
入力された第１の階調信号が高階調又は低階調に属する場合には、入力された第２の階調信号が補正対象とされる。一方、入力された第１の階調信号が高階調と低階調との間の階調に属する場合には、入力された第２の階調信号が補正対象とされない。
高階調及び低階調のそれぞれの範囲は適宜設定されてよい。高階調及び低階調の間の階調は、補正は不要な階調として設定される。
また入力された第１の階調信号が中間階調の場合には、入力された第２の階調信号が補正対象とされなくてもよい。例えば図４等に示すSTART LEVEL＝１２８等が中間階調として設定される。このように所定の階調を中間階調として、第１の階調信号が当該中間階調に該当する場合には、補正不要の設定が行われてもよい。このような信号処理方法においても、高画質な画像を表示することが可能となる。
【００７７】
判定の対象となる第１のフレームの画像信号（階調信号）は、第１のフレームとそれより前のフレームとの信号レベルから算出された値であってもよい。これにより複数フレームにわたってオーバードライブ等の補正を実行するシステムにおいて、本技術を用いることで、高画質な画像を表示することが可能となる。
【００７８】
本技術は、ＴＮ型、ＶＡ（垂直配向）型、ＩＰＳ（インプレインスイッチング）型等の、いずれの液晶表示パネルが用いられる場合にも適用可能である。また本技術は、有機ＥＬ（Electroluminescence）素子や、無機ＥＬ素子等の発光素子を有する表示装置にも適用可能である。
【００７９】
本開示中に記載された効果はあくまで例示であって限定されるものでは無く、また他の効果があってもよい。上記の複数の効果の記載は、それらの効果が必ずしも同時に発揮されるということを意味しているのではない。条件等により、少なくとも上記した効果のいずれかが得られることを意味しており、もちろん本開示中に記載されていない効果が発揮される可能性もある。
【００８０】
以上説明した各形態の特徴部分のうち、少なくとも２つの特徴部分を組み合わせることも可能である。すなわち各信号処理方法の説明において述べた種々の特徴部分は、任意に組み合わされてもよい。
【符号の説明】
【００８１】
１０…液晶表示パネル
５０…表示制御部
５１、１５１…映像信号処理部
５２…記憶部
６１、１６１…入力部
６２、１６２…判定部
６３、１６３…補正／出力部
１６５…生成部
７０、１７０…フレームメモリ
７５…フラグ情報メモリ
１００…表示装置
２００…スマートフォン
３００…テレビジョン装置
【図１】
2015197476.tif 000003
【図２】
2015197476.tif 000004
【図３】
2015197476.tif 000005
【図４】
2015197476.tif 000006
【図５】
2015197476.tif 000007
【図６】
2015197476.tif 000008
【図７】
2015197476.tif 000009
【図８】
2015197476.tif 000010
【図９】
2015197476.tif 000011
【図１０】
2015197476.tif 000012